(57)【特許請求の範囲】
【請求項１】
パーソナル・オーディオ機器の少なくとも一部を実装するための集積回路であって、
第１の出力信号を第１のトランスデューサに提供するように構成された、第１の出力部と、
第２の出力信号を第２のトランスデューサに提供するように構成された、第２の出力部と、
処理回路であって、
前記第１のトランスデューサに関連する第１の適応フィルタと、
前記第２のトランスデューサに関連する第２の適応フィルタと、
前記第１の適応フィルタの前記応答と前記第２の適応フィルタの前記応答とを比較し、前記比較に基づいて前記第１のトランスデューサを収容する第１のヘッドホンがリスナーの第１の耳にかけられ、前記第２のトランスデューサを収容する前記第２のヘッドホンが前記リスナーの第２の耳にかけられているかどうかを判定する比較ブロックと、
を実装するように構成された、処理回路と、
を備える、集積回路。
【請求項２】
前記処理回路は、第１のヘッドホンが前記第１の耳にかけられていないこと、及び前記第２のヘッドホンが前記第２の耳にかけられていないことの少なくとも一方を判定することに応答して、前記第１の出力信号及び前記第２の出力信号の少なくとも一方が、前記第１のヘッドホンが前記第１の耳にかけられ且つ前記第２のヘッドホンが前記第２の耳にかけられていたならばそうなったはずであろう信号とは異なるように、前記第１の出力信号及び前記第２の出力信号の少なくとも一方を修正するようにさらに構成された、請求項１に記載の集積回路。
【請求項３】
前記第１の適応フィルタが、前記第１のトランスデューサを通る第１のソース・オーディオ信号の電気的及び音響的経路をモデル化するための、且つ前記第１のソース・オーディオ信号から第１の二次経路推定信号を生成する応答を有する、第１の二次経路推定適応フィルタを備え、
前記第２の適応フィルタが、前記第２のトランスデューサを通る第２のソース・オーディオ信号の電気的及び音響的経路をモデル化するための、且つ前記第２のソース・オーディオ信号から第２の二次経路推定信号を生成する応答を有する、第２の二次経路推定適応フィルタを備える、請求項１に記載の集積回路。
【請求項４】
前記第１の出力信号及び前記第２の出力信号の少なくとも一方を修正することが、前記第１のヘッドホンと前記第２のヘッドホンのいずれか一方がそのそれぞれの耳にかけられていないことを判定することに応答して、前記第１の出力信号と前記第２の出力信号とを互いにほぼ等しくなるように修正することを含む、請求項１に記載の集積回路。
【請求項５】
前記第１の出力信号と前記第２の出力信号とを互いにほぼ等しくなるように修正することが、前記第１の出力信号に関連する第１のソース・オーディオ信号と、前記第２の出力信号に関係する第２のソース・オーディオ信号との平均を計算すること、並びに前記第１の出力信号及び前記第２の出力信号の各々を前記平均にほぼ等しくなるようにすることを含む、請求項４に記載の集積回路。
【請求項６】
前記第１の出力信号及び前記第２の出力信号の少なくとも一方を修正することが、前記第１のヘッドホンと前記第２のヘッドホンのいずれか一方がそのそれぞれの耳にかけられていないことを判定することに応答して、前記第１の出力信号及び前記第２の出力信号の少なくとも一方のオーディオ音量を上げることを含む、請求項１に記載の集積回路。
【請求項７】
前記第１の出力信号及び前記第２の出力信号の少なくとも一方を修正することが、前記第１のヘッドホンと前記第２のヘッドホンの両方がそれらのそれぞれの耳にかけられていないことを判定することに応答して、前記第１の出力信号及び前記第２の出力信号の少なくとも一方のオーディオ音量を下げることを含む、請求項１に記載の集積回路。
【請求項８】
前記第１のヘッドホンと前記第２のヘッドホンの両方がそれらのそれぞれの耳にかけられていないことを判定することに応答して、前記パーソナル・オーディオ機器を低電力モードに入らせることをさらに含む、請求項７に記載の集積回路。
【請求項９】
前記第１の出力信号及び前記第２の出力信号の少なくとも一方を修正することが、前記第１のヘッドホンと前記第２のヘッドホンの両方がそれらのそれぞれの耳にかけられていないことを判定することに応答して、第３のトランスデューサ機器への第３の出力信号を出力することを含み、前記第３の出力信号が、前記第１の出力信号に関連する第１のソース・オーディオ信号及び前記第２の出力信号に関連する第２のソース・オーディオ信号の少なくとも一方の派生物である、請求項１に記載の集積回路。
【請求項１０】
前記第１の出力信号及び前記第２の出力信号の少なくとも一方を修正することが、前記第１のヘッドホンが前記第１の耳にかけられていることと、前記第２のヘッドホンが第２のリスナーの耳にかけられていることのいずれか一方を判定することに応答して、前記第１の出力信号及び前記第２の出力信号の各々について、カスタマイズされた処理を可能にすることを含む、請求項１に記載の集積回路。
【請求項１１】
前記第１のヘッドホン及び前記第２のヘッドホンの少なくとも一方の地球に対する向きを示す、方位検出信号を受信するように構成された、方位検出信号入力部をさらに備え、
前記処理回路が、前記第１のヘッドホン及び前記第２のヘッドホンの少なくとも一方の、前記方位検出信号によって示される向きの変化に応答して、前記パーソナル・オーディオ機器のディスプレイ機器に表示するためのビデオ画像情報を備えるビデオ出力信号を修正するようにさらに構成される、
請求項１に記載の集積回路。
【請求項１２】
前記ビデオ出力信号を修正することが、前記ディスプレイ機器に表示されるビデオ画像情報の向きの回転を含む、請求項１１に記載の集積回路。
【請求項１３】
第１のイヤホンに収容された第１のトランスデューサに関連する第１の適応フィルタの応答と、第２のイヤホンに収容された第２のトランスデューサに関連する第２の適応フィルタの応答とを比較するステップと、
前記比較に基づいて、前記第１のヘッドホンが前記第１の耳にかけられ、且つ前記第２のヘッドホンが前記第２の耳にかけられているかどうかを判定するステップと、
を含む、方法。
【請求項１４】
前記第１のヘッドホンが前記第１の耳にかけられていないこと、及び前記第２のヘッドホンが前記第２の耳にかけられていないことの少なくとも一方を判定することに応答して、前記第１のトランスデューサへの第１の出力信号及び前記第２のトランスデューサへの第２の出力信号の少なくとも一方が、前記第１のヘッドホンが前記第１の耳にかけられ且つ前記第２のヘッドホンが前記第２の耳にかけられていたならばそうなったはずであろう信号とは異なるように、前記第１の出力信号及び前記第２の出力信号の少なくとも一方を修正するステップをさらに含む、請求項１３に記載の方法。
【請求項１５】
前記第１の適応フィルタが、前記第１のトランスデューサを通る第１のソース・オーディオ信号の電気的及び音響的経路をモデル化するための、且つ前記第１のソース・オーディオ信号から第１の二次経路推定信号を生成する応答を有する、第１の二次経路推定適応フィルタを備え、
前記第２の適応フィルタが、前記第２のトランスデューサを通る第２のソース・オーディオ信号の電気的及び音響的経路をモデル化するための、且つ前記第２のソース・オーディオ信号から第２の二次経路推定信号を生成する応答を有する、第２の二次経路推定適応フィルタを備える、請求項１３に記載の方法。
【請求項１６】
前記第１の出力信号及び前記第２の出力信号の少なくとも一方を修正するステップは、前記第１のヘッドホンと前記第２のヘッドホンのいずれか一方がそのそれぞれの耳にかけられていないことを判定することに応答して、前記第１の出力信号と前記第２の出力信号とを互いにほぼ等しくなるように修正するステップを含む、請求項１３に記載の方法。
【請求項１７】
前記第１の出力信号と前記第２の出力信号とを互いにほぼ等しくなるように修正するステップは、前記第１の出力信号に関連する第１のソース・オーディオ信号と、前記第２の出力信号に関連する第２のソース・オーディオ信号との平均を計算するステップと、前記第１の出力信号及び前記第２の出力信号の各々を前記平均にほぼ等しくなるようにするステップとを含む、請求項１６に記載の方法。
【請求項１８】
前記第１の出力信号及び前記第２の出力信号の少なくとも一方を修正するステップは、前記第１のヘッドホンと前記第２のヘッドホンのいずれか一方がそのそれぞれの耳にかけられていないことを判定することに応答して、前記第１の出力信号及び前記第２の出力信号の少なくとも一方のオーディオ音量を上げるステップを含む、請求項１３に記載の方法。
【請求項１９】
前記第１の出力信号及び前記第２の出力信号の少なくとも一方を修正するステップは、前記第１のヘッドホンと前記第２のヘッドホンの両方がそれらのそれぞれの耳にかけられていないことを判定することに応答して、前記第１の出力信号及び前記第２の出力信号の少なくとも一方のオーディオ音量を下げるステップを含む、請求項１３に記載の方法。
【請求項２０】
前記第１のヘッドホンと前記第２のヘッドホンの両方がそれらのそれぞれの耳にかけられていないことを判定することに応答して、前記パーソナル・オーディオ機器を低電力モードに入らせるステップをさらに含む、請求項１９に記載の方法。
【請求項２１】
前記第１の出力信号及び前記第２の出力信号の少なくとも一方を修正するステップは、前記第１のヘッドホンと前記第２のヘッドホンの両方がそれらのそれぞれの耳にかけられていないことを判定することに応答して、第３のトランスデューサ機器への第３の出力信号を出力するステップを含み、前記第３の出力信号が、前記第１の出力信号に関連する第１のソース・オーディオ信号及び前記第２の出力信号に関連する第２のソース・オーディオ信号の少なくとも一方の派生物である、請求項１３に記載の方法。
【請求項２２】
前記第１の出力信号及び前記第２の出力信号の少なくとも一方を修正するステップは、前記第１のヘッドホンが前記第１の耳にかけられていることと、前記第２のヘッドホンが第２のリスナーの耳にかけられていることのいずれか一方を判定することに応答して、前記第１の出力信号及び前記第２の出力信号の各々について、カスタマイズされた処理を可能にするステップを含む、請求項１３に記載の方法。
【請求項２３】
前記第１のヘッドホン及び前記第２のヘッドホンの少なくとも一方の地球に対する向きを示す、方位検出信号を受信するステップと、
前記第１のヘッドホン及び前記第２のヘッドホンの少なくとも一方の、前記方位検出信号によって示される向きの変化に応答して、前記パーソナル・オーディオ機器のディスプレイ機器に表示するためのビデオ画像情報を備えるビデオ出力信号を修正するステップと、
をさらに含む、請求項１３に記載の方法。
【請求項２４】
前記ビデオ出力信号を修正するステップは、前記ディスプレイ機器に表示されるビデオ画像情報の向きの回転を含む、請求項２３に記載の方法。
【請求項２５】
前記第１の適応フィルタが、前記第１のトランスデューサの音響出力での周囲のオーディオ音の存在を低減させるように第１のアンチノイズ信号を生成する第１のフィードフォワード適応フィルタを備え、
前記第２の適応フィルタが、前記第２のトランスデューサの音響出力での周囲のオーディオ音の存在を低減させるように第２のアンチノイズ信号を生成する第２のフィードフォワード適応フィルタを備える、請求項１５に記載の方法。
【請求項２６】
前記処理回路が、
前記第１の二次経路推定フィルタの前記応答を、第１のエラー・マイクロホン信号と前記第１の二次経路推定信号との差に基づく第１の再生補正エラーを最小化するように適応させることによって、前記第１のソース・オーディオ信号と前記第１の再生補正エラーとに合わせて前記第１の二次経路推定適応フィルタの前記応答を成形する第１の係数制御ブロックと、
前記第２の二次経路推定フィルタの前記応答を、前記第２のエラー・マイクロホン信号と前記第２の二次経路推定信号との差に基づく第２の再生補正エラーを最小化するように適応させることによって、前記第２のソース・オーディオ信号と前記第２の再生補正エラーとに合わせて前記第２の二次経路推定適応フィルタの前記応答を成形する第２の係数制御ブロックと、
を実装するようにさらに構成された、請求項３に記載の集積回路。
【請求項２７】
前記処理回路が、
少なくとも前記第１の再生補正エラーに基づいて前記第１のトランスデューサの音響出力での周囲のオーディオ音の存在を低減させるように第１のアンチノイズ信号を生成する第１のフィードフォワードフィルタと、
少なくとも前記第２の再生補正エラーに基づいて前記第２のトランスデューサの音響出力での周囲のオーディオ音の存在を低減させるように第２のアンチノイズ信号を生成する第２のフィードフォワードフィルタと、
を実装するようにさらに構成された、請求項２６に記載の集積回路。
【請求項２８】
前記第１の適応フィルタは、前記第１のトランスデューサの音響出力での周囲のオーディオ音の存在を低減させるように第１のアンチノイズ信号を生成する第１のフィードフォワード適応フィルタを備え、
前記第２の適応フィルタは、前記第２のトランスデューサの音響出力での周囲のオーディオ音の存在を低減させるように第２のアンチノイズ信号を生成する第２のフィードフォワード適応フィルタを備える、請求項１に記載の集積回路。
【発明の詳細な説明】
【技術分野】
【０００１】
関連出願
本開示は、２０１４年３月７日に出願された米国非仮特許出願第１４／２００，４５８号に対する優先権を主張し、これは参照によりその全体において本明細書に組み込まれる。
【０００２】
本開示は、一般に、パーソナル・オーディオ機器に関し、より詳細には、オーディオ・トランスデューサの性能をトランスデューサの状態の検出に基づいて向上させることに関する。
【背景技術】
【０００３】
モバイル／携帯電話などのワイヤレス電話、コードレス電話、ｍｐ３プレーヤーなどの他の民生用オーディオ機器が、幅広く使用されている。多くの場合、そのようなパーソナル・オーディオ機器は、各チャネルがそれぞれのトランスデューサに通じている、オーディオの２つのチャネルを出力する能力を有し、これらのトランスデューサは、リスナーの耳にかかるように適合された、それぞれのヘッドホン内に収容されることができる。既存のパーソナル・オーディオ機器において、オーディオ信号の処理、及びトランスデューサの各々への通信には、しばしば、各ヘッドホンが同一リスナーのそれぞれの耳にかけられていることが想定されている。しかしながら、そのような仮定は、ヘッドホンの少なくとも一方がリスナーの耳にかけられていない状況（例えば、１つのヘッドホンはリスナーの耳にかけられているが別のヘッドホンはかけられていない、両ヘッドホンがどのリスナーの耳にもかけられていない、ヘッドホンが２人の異なるリスナーの耳に同時にかけられているなど）においては、望ましくない場合がある。
【発明の概要】
【発明が解決しようとする課題】
【０００４】
本開示の教示によると、パーソナル・オーディオ機器のオーディオ性能を改善することに関連する欠点及び問題を低減し又はなくすことができる。
【課題を解決するための手段】
【０００５】
本開示の実施例によると、パーソナル・オーディオ機器の少なくとも一部を実装するための集積回路は、第１の出力部と、第２の出力部と、第１のトランスデューサ状態信号入力部と、第２のトランスデューサ状態信号入力部と、処理回路とを含むことができる。第１の出力部は、第１の出力信号を第１のトランスデューサに提供するように構成され得る。第２の出力部は、第２の出力信号を第２のトランスデューサに提供するように構成され得る。第１のトランスデューサ状態信号入力部は、第１のトランスデューサを収容する第１のヘッドホンがリスナーの第１の耳にかけられているかどうかを示す第１のトランスデューサ状態入力信号を受信するように構成され得る。第２のトランスデューサ状態信号入力部は、第２のトランスデューサを収容する第２のヘッドホンがそのリスナーの第２の耳にかけられているかどうかを示す第２のトランスデューサ状態入力信号を受信するように構成され得る。処理回路は、少なくとも第１のトランスデューサ状態入力信号と第２のトランスデューサ状態入力信号とに基づいて、第１のヘッドホンが第１の耳にかけられ、且つ第２のヘッドホンが第２の耳にかけられているかどうかを判定するように構成され得る。処理回路は、第１のヘッドホンが第１の耳にかけられていないこと、及び第２のヘッドホンが第２の耳にかけられていないことの少なくとも一方を判定することに応答して、第１の出力信号及び第２の出力信号の少なくとも一方が、第１のヘッドホンが第１の耳にかけられ且つ第２のヘッドホンが第２の耳にかけられていたならばそうなったはずであろう信号とは異なるように、第１の出力信号及び第２の出力信号の少なくとも一方を修正するようにさらに構成することができる。
【０００６】
本開示のこれら及び他の実施例によると、方法は、少なくとも、第１のトランスデューサを収容する第１のヘッドホンがリスナーの第１の耳にかけられているかどうかを示す第１のトランスデューサ状態入力信号と、第２のトランスデューサを収容する第２のヘッドホンがそのリスナーの第２の耳にかけられているかどうかを示す第２のトランスデューサ状態入力信号とに基づいて、第１のヘッドホンが第１の耳にかけられ、且つ第２のヘッドホンが第２の耳にかけられているかどうかを判定するステップを含むことができる。方法は、第１のヘッドホンが第１の耳にかけられていないこと、及び第２のヘッドホンが第２の耳にかけられていないことの少なくとも一方を判定することに応答して、第１の出力信号及び第２の出力信号の少なくとも一方が、第１のヘッドホンが第１の耳にかけられ且つ第２のヘッドホンが第２の耳にかけられていたならばそうなったはずであろう信号とは異なるように、第１のトランスデューサへの第１の出力信号及び第２のトランスデューサへの第２の出力信号の少なくとも一方を修正するステップをさらに含むことができる。
【０００７】
本開示の技術的な利点は、本明細書に含まれる図、説明、及び特許請求の範囲から当業者には容易に明らかになる可能性がある。実施例の目的及び利点は、特許請求の範囲において特に指摘される要素、特徴、及び組合せによって少なくとも実現され、達成されるであろう。
【０００８】
前述の一般的な説明及び以下の詳細な説明は両方とも、実例であって説明のためのものであり、本開示で述べられた特許請求の範囲を限定しないことを理解されたい。
【０００９】
本実施例及びその利点についてのより完全な理解は、同様の参照番号が同様の特徴を指す添付図面と併せて以下の説明を参照することによって得られる可能性がある。
【図面の簡単な説明】
【００１０】
【図１Ａ】本開示の実施例による、例示的なパーソナル・オーディオ機器の図である。
【図１Ｂ】本開示の実施例による、ヘッドホン・アセンブリが結合された例示的なパーソナル・オーディオ機器の図である。
【図２】本開示の実施例による、図１Ａ及び図１Ｂに描かれたパーソナル・オーディオ機器内部の選択された回路のブロック図である。
【図３】本開示の実施例による、図３のコーダ・デコーダ（コーデック）集積回路の例示的な能動雑音消去（ＡＮＣ：active noise canceling）回路内部の選択された信号処理回路及び機能ブロックを描くブロック図である。
【図４】本開示の実施例による、図１Ａ及び図１Ｂに描かれたパーソナル・オーディオ機器内部の２つのオーディオ・チャネルに関連付けられた選択された回路を描くブロック図である。
【図５】本開示の実施例による、１つ又は複数のオーディオ・トランスデューサへのオーディオ出力信号を修正するための例示的な方法を描く流れ図である。
【図６】本開示の実施例による、図１Ａ及び図１Ｂに描かれたパーソナル・オーディオ機器内部の選択された回路の別のブロック図である。
【発明を実施するための形態】
【００１１】
ここで図１Ａを参照すると、本開示の実施例により示されるようなパーソナル・オーディオ機器１０が人間の耳５に近接して示されている。パーソナル・オーディオ機器１０は、本発明の実施例による技法が用いられてもよい機器の実例であるが、図示されたパーソナル・オーディオ機器１０において又は後の図に描かれる回路において具現化される要素又は構成のすべてが、特許請求の範囲に規定された本発明を実施するために必要なわけではないことを理解されたい。パーソナル・オーディオ機器１０は、パーソナル・オーディオ機器１０によって受信された遠方の音声を、リングトーン、保存されたオーディオ・プログラム素材、バランスのとれた会話理解を行うための近端音声（すなわち、パーソナル・オーディオ機器１０のリスナーの音声）の注入、並びにパーソナル・オーディオ機器１０によって受信されたウェブ・ページ又は他のネットワーク通信からのソース、及びバッテリ低下指示や他のシステム事象の通知などのオーディオ指示など、パーソナル・オーディオ機器１０による再現を必要とする他のオーディオなどの、他のローカルなオーディオ事象と共に再現する、スピーカＳＰＫＲなどのトランスデューサを含んでもよい。パーソナル・オーディオ機器１０から他の会話参加者（複数可）に送信される近端音声を捕らえるために近接音声マイクロホンＮＳが設けられてもよい。
【００１２】
パーソナル・オーディオ機器１０は、スピーカＳＰＫＲによって再現される遠方の音声及び他のオーディオの明瞭度を改善するために、スピーカＳＰＫＲにアンチノイズ信号を注入する適応雑音消去（ＡＮＣ：adaptive noise cancellation）回路及び機能を含むことができる。リファレンス・マイクロホンＲは、周囲の音響環境を計測するために設けられてもよく、近端音声がリファレンス・マイクロホンＲによって生成される信号において最小化され得るように、リスナーの口の典型的な位置から離れて置かれてもよい。別のマイクロホンであるエラー・マイクロホンＥは、パーソナル・オーディオ機器１０が耳５のすぐそばにあるときに、耳５に近いスピーカＳＰＫＲによって再現されるオーディオと組み合わされる周囲のオーディオの尺度を提供することによって、ＡＮＣの動作をさらに改善するために設けられることがある。パーソナル・オーディオ機器１０内部の回路１４は、リファレンス・マイクロホンＲ、近接音声マイクロホンＮＳ、及びエラー・マイクロホンＥからの信号を受信し、パーソナル・オーディオ機器トランシーバを有する無線周波数（ＲＦ）集積回路１２などの他の集積回路とインターフェースするオーディオ・コーデック集積回路（ＩＣ）２０を含むことができる。本開示の一部の実施例では、本明細書に開示される回路及び技法は、例えばチップ上ＭＰ３プレーヤー集積回路のような、パーソナル・オーディオ機器全体を実現するための制御回路及び他の機能性を含む単一の集積回路に組み込まれてもよい。これら及び他の実施例では、本明細書に開示される回路及び技法は、コンピュータ可読媒体において具現化され、コントローラ又は他の処理機器によって実行可能なソフトウェア及び／又はファームウェアにおいて部分的に又は完全に実施されてもよい。
【００１３】
一般に、本開示のＡＮＣ技法は、リファレンス・マイクロホンＲに飛び込んでくる（スピーカＳＰＫＲの出力及び／又は近端音声とは対照的に）周囲の音響事象を計測し、また、エラー・マイクロホンＥに飛び込んでくる同じ周囲の音響事象を計測することによって、パーソナル・オーディオ機器１０のＡＮＣ処理回路が、エラー・マイクロホンＥでの周囲の音響事象の大きさを最小化する特性を有するように、スピーカＳＰＫＲの出力から生成されるアンチノイズ信号をリファレンス・マイクロホンＲの出力から作り出す。音響経路Ｐ（ｚ）がリファレンス・マイクロホンＲからエラー・マイクロホンＥまで延在しているため、ＡＮＣ回路は、コーデックＩＣ２０の音声出力回路の応答と、特定の音響環境におけるスピーカＳＰＫＲとエラー・マイクロホンＥとの間の結合を含むスピーカＳＰＫＲの音響／電気伝達関数とを表す電気的及び音響的経路Ｓ（ｚ）の影響を除去しながら、音響経路Ｐ（ｚ）を効果的に推定しており、この特定の音響環境は、パーソナル・オーディオ機器１０が耳５にしっかりと押し当てられていないときには、耳５及び他の物理的物体の近さ及び構造、並びにパーソナル・オーディオ機器１０に近接しているかもしれない人間の頭の構造によって影響を受け得る。図示するパーソナル・オーディオ機器１０は、第３の近接音声マイクロホンＮＳを有する２マイクロホンＡＮＣシステムを含んでいるが、本発明の一部の態様は、別個のエラー及びリファレンス・マイクロホンを含まないシステム、又はリファレンス・マイクロホンＲの機能を行うために近接音声マイクロホンＮＳを使用するパーソナル・オーディオ機器において実施されてもよい。また、オーディオ再生のためにのみ設計されたパーソナル・オーディオ機器では、近接音声マイクロホンＮＳは一般に含まれず、以下でさらに詳細に説明する回路の近接音声信号経路は、検出スキームを扱うマイクロホンへの入力に与えられる選択肢を限定する以外は、本開示の範囲を変更することなく省略されてもよい。加えて、図１にはただ１つのリファレンス・マイクロホンＲが描かれているが、開示される本明細書の回路及び技法は、本開示の範囲を変更することなく、複数のリファレンス・マイクロホンを含むパーソナル・オーディオ機器に適合されてもよい。
【００１４】
ここで図１Ｂを参照すると、オーディオ・ポート１５を介してヘッドホン・アセンブリ１３が結合されたパーソナル・オーディオ機器１０が描かれている。オーディオ・ポート１５は、ＲＦ  ＩＣ１２及び／又はコーデックＩＣ２０に通信可能に結合されてもよく、したがってヘッドホン・アセンブリ１３の構成要素と、ＲＦ  ＩＣ１２及び／又はコーデックＩＣ２０の１つ又は複数との間の通信を可能にしている。図１Ｂに示すように、ヘッドホン・アセンブリ１３は、コンボックス（combox）１６、左のヘッドホン１８Ａ、及び右のヘッドホン１８Ｂ（これらはまとめて「両ヘッドホン１８」と呼ぶことができ、個別に「ヘッドホン１８」と呼ぶことができる）を含むことができる。本開示において使用されるように、用語「ヘッドホン」は、あらゆるラウドスピーカ、及びリスナーの耳又は外耳道に近接して適所に保持されることが意図された、ラウドスピーカに関連付けられた構造を幅広く含み、限定することなく、イヤホン、小型イヤホン、及び他の同様の機器を含む。より具体的で非限定的な実例として、「ヘッドホン」は、イントラカナル型（intra-canal）イヤホン、イントラコンカ型（intra-concha）イヤホン、スープラコンカ型（supra-concha）イヤホン、及び耳載せ型（supra-aural）イヤホンを指すことがある。
【００１５】
コンボックス１６、又はヘッドホン・アセンブリ１３の別の部分は、パーソナル・オーディオ機器１０の近接音声マイクロホンＮＳに加えて又はその代わりに、近端音声を捕らえるための近接音声マイクロホンＮＳを有してもよい。加えて、各ヘッドホン１８Ａ、１８Ｂは、パーソナル・オーディオ機器１０によって受信された遠方の音声を、リングトーン、保存されたオーディオ・プログラム素材、バランスのとれた会話理解を行うための近端音声（すなわち、パーソナル・オーディオ機器１０のリスナーの音声）の注入、並びにパーソナル・オーディオ機器１０によって受信されたウェブ・ページ又は他のネットワーク通信からのソース、及びバッテリ低下指示や他のシステム事象の通知などのオーディオ指示など、パーソナル・オーディオ機器１０による再現を必要とする他のオーディオなどの、他のローカルなオーディオ事象と共に再現する、スピーカＳＰＫＲなどのトランスデューサを含んでもよい。各ヘッドホン１８Ａ、１８Ｂは、そのようなヘッドホン１８Ａ、１８Ｂがリスナーの耳にかけられたときに、周囲の音響環境を計測するためのリファレンス・マイクロホンＲ、及びリスナーの耳近くのスピーカＳＰＫＲによって再現されるオーディオと組み合わされる周囲のオーディオを計測するためのエラー・マイクロホンＥを含んでもよい。一部の実施例では、コーデックＩＣ２０は、各ヘッドホンのリファレンス・マイクロホンＲ、近接音声マイクロホンＮＳ、及びエラー・マイクロホンＥからの信号を受信し、本明細書に記載されるような各ヘッドホンに対する適応雑音消去を行うことができる。他の実施例では、コーデックＩＣ又は別の回路は、ヘッドホン・アセンブリ１３内部に存在し、リファレンス・マイクロホンＲ、近接音声マイクロホンＮＳ、及びエラー・マイクロホンＥに通信可能に結合され、本明細書に記載されるような適応雑音消去を行うように構成されてもよい。
【００１６】
図１Ｂに描かれるように、各ヘッドホン１８は、加速度計ＡＣＣを含むことができる。加速度計ＡＣＣは、そのそれぞれのヘッドホンが受ける加速度（例えば、座標系に依らない加速度（proper acceleration））を計測するように構成された、任意のシステム、機器、又は装置を含むことができる。計測された加速度に基づいて、ヘッドホンの地球に対する向きが（例えば、そのような加速度計ＡＣＣに結合されたパーソナル・オーディオ機器１０のプロセッサによって）判定されてもよい。
【００１７】
図１Ｂに示すように、パーソナル・オーディオ機器１０は、ユーザにディスプレイを提供し、タッチスクリーン１７を使用してユーザ入力を受領してもよく、又はその代わりに、標準的なＬＣＤが、パーソナル・オーディオ機器１０の正面及び／若しくは側面上に配設された様々なボタン、スライダ、及び／若しくはダイヤルと組み合わされてもよい。
【００１８】
リファレンス・マイクロホン、エラー・マイクロホン、及び近接音声マイクロホンを含む、本開示において言及された様々なマイクロホンは、そのようなマイクロホンに入射する音を、コントローラによって処理され得る電気信号に変換するように構成された、任意のシステム、機器、又は装置を備えることができ、限定することなく、静電型マイクロホン、コンデンサ・マイクロホン、エレクトレット・マイクロホン、アナログ・マイクロエレクトロメカニカル・システム（ＭＥＭＳ）マイクロホン、ディジタルＭＥＭＳマイクロホン、圧電マイクロホン、圧電セラミック・マイクロホン、又はダイナミック・マイクロホンを含むことができる。
【００１９】
ここで図２を参照すると、他の実施例では１つ又は複数のヘッドホン・アセンブリ１３などの他の場所に全体又は一部が配置されてもよい、パーソナル・オーディオ機器１０の内部の選択された回路が、ブロック図で示されている。コーデックＩＣ２０は、リファレンス・マイクロホン信号を受信し、リファレンス・マイクロホン信号のディジタル表現ｒｅｆを生成するためのアナログ・ディジタル変換器（ＡＤＣ）２１Ａと、エラー・マイクロホン信号を受信し、エラー・マイクロホン信号のディジタル表現ｅｒｒを生成するためのＡＤＣ２１Ｂと、近接音声マイクロホン信号を受信し、近接音声マイクロホン信号のディジタル表現ｎｓを生成するためのＡＤＣ２１Ｃとを含むことができる。コーデックＩＣ２０は、増幅器Ａ１からスピーカＳＰＫＲを駆動するための出力を生成することができ、この増幅器Ａ１が結合器２６の出力を受信するディジタル・アナログ変換器（ＤＡＣ）２３の出力を増幅することができる。結合器２６は、内部オーディオ・ソース２４からのオーディオ信号ｉａと、慣例によりリファレンス・マイクロホン信号ｒｅｆの雑音と同一極性を有し、したがって結合器２６によって減算される、ＡＮＣ回路３０によって生成されたアンチノイズ信号と、近接音声マイクロホン信号ｎｓの一部とを組み合わせることができ、それによって、パーソナル・オーディオ機器１０のリスナーは、無線周波数（ＲＦ）集積回路２２から受信され得て、やはり結合器２６によって組み合わされてもよいダウンリンク音声ｄｓとの適切な関係において彼又は彼女自身の声を聞くことができる。また、近接音声マイクロホン信号ｎｓは、ＲＦ集積回路２２に提供されてもよく、アンテナＡＮＴを介してサービス・プロバイダーにアップリンク音声として送信されてもよい。
【００２０】
ここで図３を参照すると、本開示の実施例によるＡＮＣ回路３０の詳細が示されている。適応フィルタ３２は、リファレンス・マイクロホン信号ｒｅｆを受信することができ、理想的な状況下では、その伝達関数Ｗ（ｚ）をＰ（ｚ）／Ｓ（ｚ）となるように適応させてアンチノイズ信号を生成することができ、これを、図２の結合器２６によって例示されるように、アンチノイズ信号をトランスデューサによって再現されるオーディオと組み合わせる出力結合器に提供することができる。適応フィルタ３２の係数は、信号の相関関係を用いて適応フィルタ３２の応答を決定するＷ係数制御ブロック３１によって制御されてもよく、この適応フィルタ３２が、エラー・マイクロホン信号ｅｒｒ中に存在するリファレンス・マイクロホン信号ｒｅｆのそれらの成分間の、最小２乗平均の意味での誤差を全体的に最小化する。Ｗ係数制御ブロック３１によって比較される信号は、リファレンス・マイクロホン信号ｒｅｆをフィルタ３４Ｂによって提供される経路Ｓ（ｚ）の応答の推定のコピーによって成形したものと、エラー・マイクロホン信号ｅｒｒを含む別の信号とであってもよい。経路Ｓ（ｚ）の応答の推定のコピーである応答ＳＥＣＯＰＹ（ｚ）によってリファレンス・マイクロホン信号ｒｅｆを変換し、結果として生じる信号とエラー・マイクロホン信号ｅｒｒとの間の差を最小化することによって、適応フィルタ３２は、Ｐ（ｚ）／Ｓ（ｚ）という所望の応答に適応することができる。エラー・マイクロホン信号ｅｒｒに加えて、Ｗ係数制御ブロック３１によってフィルタ３４Ｂの出力と比較される信号には、応答ＳＥＣＯＰＹ（ｚ）がそのコピーであるフィルタ応答ＳＥ（ｚ）によって処理されたダウンリンク・オーディオ信号ｄｓ及び／又は内部オーディオ信号ｉａの反転量が含まれてもよい。ダウンリンク・オーディオ信号ｄｓ及び／又は内部オーディオ信号ｉａの反転量を注入することによって、適応フィルタ３２が、エラー・マイクロホン信号ｅｒｒ中に存在する比較的大きな量のダウンリンク・オーディオ及び／又は内部オーディオ信号に適応するのを防止することができ、ダウンリンク・オーディオ信号ｄｓ及び／又は内部オーディオ信号ｉａのその反転コピー（inverted copy）を経路Ｓ（ｚ）の応答の推定によって変換することによって、比較前にエラー・マイクロホン信号ｅｒｒから除去されたダウンリンク・オーディオ及び／又は内部オーディオは、Ｓ（ｚ）の電気的及び音響的経路が、ダウンリンク・オーディオ信号ｄｓ及び／又は内部オーディオ信号ｉａがエラー・マイクロホンＥに到達するために辿る経路であるため、エラー・マイクロホン信号ｅｒｒで再現されるダウンリンク・オーディオ信号ｄｓ及び／又は内部オーディオ信号ｉａの予期されるバージョンと一致するはずである。図２及び図３に示すように、Ｗ係数制御ブロック３１は、図４及び図５に関連して以下でより詳細に説明するように比較ブロック４２からの信号をリセットすることもできる。
【００２１】
フィルタ３４Ｂは、それ自体適応フィルタでなくてもよいが、フィルタ３４Ｂの応答が適応フィルタ３４Ａの適応に追従するように、適応フィルタ３４Ａの応答と一致するように調整される調節可能な応答を有することができる。
【００２２】
上記を実現するために、適応フィルタ３４Ａは、ＳＥ係数制御ブロック３３によって制御される係数を有することができ、このＳＥ係数制御ブロック３３が、ダウンリンク・オーディオ信号ｄｓ及び／又は内部オーディオ信号ｉａと、上記のフィルタされたダウンリンク・オーディオ信号ｄｓ及び／又は内部オーディオ信号ｉａを除去した後のエラー・マイクロホン信号ｅｒｒとを比較することができ、このフィルタされたダウンリンク・オーディオ信号ｄｓ及び／又は内部オーディオ信号ｉａは、エラー・マイクロホンＥに送達される予期されるダウンリンク・オーディオを表わすように適応フィルタ３４Ａによってフィルタされており、結合器３６によって適応フィルタ３４Ａの出力から除去される。ＳＥ係数制御ブロック３３は、実際のダウンリンク音声信号ｄｓ及び／又は内部オーディオ信号ｉａを、エラー・マイクロホン信号ｅｒｒ中に存在するダウンリンク・オーディオ信号ｄｓ及び／又は内部オーディオ信号ｉａの成分と相関させる。それによって、エラー・マイクロホン信号ｅｒｒから減算されると、ダウンリンク・オーディオ信号ｄｓ及び／又は内部オーディオ信号ｉａに起因しないエラー・マイクロホン信号ｅｒｒのコンテンツを含む信号を、ダウンリンク・オーディオ信号ｄｓ及び／又は内部オーディオ信号ｉａから生成するように、適応フィルタ３４Ａを適応させることができる。
【００２３】
説明を分かりやすくするために、図２及び図３に示すオーディオＩＣ回路２０の構成要素は、ただ１つのオーディオ・チャネルに関連付けられた構成要素を示している。しかしながら、ステレオ・オーディオを用いるパーソナル・オーディオ機器（例えばヘッドホン付きのもの）では、２つのオーディオ・チャネル（例えば１つは左側トランスデューサ用、１つは右側トランスデューサ用）の各々が独立してＡＮＣを行う能力を有するように、図２及び図３に示すオーディオ・コーデックＩＣ２０の多くの構成要素を二重にすることができる。
【００２４】
図４に移ると、左チャネル・コーデックＩＣ構成要素２０Ａ、右チャネル・コーデックＩＣ構成要素２０Ｂ、及び比較ブロック４２を含むシステムが示されている。左チャネル・コーデックＩＣ構成要素２０Ａ及び右チャネル・コーデックＩＣ構成要素２０Ｂの各々は、図２に描かれたコーデックＩＣ２０の様々な構成要素の一部又はすべてを備えることができる。したがって、（例えばリファレンス・マイクロホンＲＬ若しくはＲＲからの）それぞれのリファレンス・マイクロホン信号、（例えばエラー・マイクロホンＥＬ若しくはＥＲからの）それぞれのエラー・マイクロホン信号、（例えば近接音声マイクロホンＮＳＬ若しくはＮＳＲからの）それぞれの近接音声マイクロホン信号、及び／又は他の信号に基づいて、それぞれのオーディオ・チャネルに関連付けられたＡＮＣ回路３０が、アンチノイズ信号を生成することができ、それをソース・オーディオ信号と組み合わせて、それぞれのトランスデューサ（例えばＳＰＫＲＬ又はＳＰＫＲＲ）に通信することができる。
【００２５】
比較ブロック４２は、左チャネル・コーデックＩＣ構成要素２０Ａ及び右チャネル・コーデックＩＣ構成要素２０Ｂの各々から、図４で応答ＳＥＬ（ｚ）及びＳＥＲ（ｚ）として示される、そのチャネルの二次推定適応フィルタ３４Ａの応答ＳＥ（ｚ）を示す信号を受信し、そのような応答を比較するように構成することができる。二次推定適応フィルタ３４Ａの応答は、ヘッドホン１８が耳にかけられているかどうかに基づいて変わることがあり、また二次推定適応フィルタ３４Ａの応答は、異なるユーザの耳の間で異なることがある。したがって、二次推定適応フィルタ３４Ａの応答の比較は、トランスデューサＳＰＫＲＬ及びＳＰＫＲＲの各々をそれぞれ収容する両ヘッドホン１８がリスナーのそれぞれの耳にかけられているかどうか、そのような両ヘッドホン１８の一方若しくは両方がリスナーのそのそれぞれの耳から外れているかどうか、又は両ヘッドホン１８が２人の異なるリスナーのそれぞれの耳にかけられているかどうかを示し得る。そのような比較に基づいて、および両ヘッドホン１８が同一リスナーのそれぞれの耳にかけられているのではないことを判定することに応答して、比較ブロック４２は、左チャネル・コーデックＩＣ構成要素２０Ａ及び右チャネル・コーデックＩＣ構成要素２０Ｂの一方又は両方に対し、左チャネル・コーデックＩＣ構成要素２０Ａ及び右チャネル・コーデックＩＣ構成要素２０Ｂによってスピーカ（例えばＳＰＫＲＬ、ＳＰＫＲＲ）に提供される出力信号の少なくとも一方を修正して、出力信号の少なくとも一方が、両ヘッドホン１８が同一リスナーのそれぞれの耳にかけられていたときの信号とは異なるようにするために、修正信号（例えばＭＯＤＩＦＹＬ、ＭＯＤＩＦＹＲ）を生成することができる。一部の実施例では、そのような修正は、（例えば、その出力信号に関連するコーデックＩＣ２０のＤＡＣ２３、増幅器Ａ１、又は他の構成要素に信号を通信することによって）出力信号の音量レベルを修正することを含むことができる。
【００２６】
前述の議論は、二次推定適応フィルタ３４Ａの応答ＳＥ（ｚ）の比較、及び比較に応答してオーディオ信号の応答を改変することを企図したものであるが、ＡＮＣ回路３０は、応答ＳＥ（ｚ）の比較の代わりに又はそれに加えて、ＡＮＣ回路３０の他の構成要素の応答を比較し、そのような比較に基づいてオーディオ信号を改変することができることは理解されよう。例えば、一部の実施例では、比較ブロック４２は、左チャネル・コーデックＩＣ構成要素２０Ａ及び右チャネル・コーデックＩＣ構成要素２０Ｂの各々から、図４において応答ＷＬ（ｚ）及びＷＲ（ｚ）として示される、そのチャネルの適応フィルタ３２Ａの応答Ｗ（ｚ）を示す信号を受信し、そのような応答を比較するように構成され得る。適応フィルタ３２の応答は、ヘッドホン１８が耳にかけられているかどうかに基づいて変わることがあり、また適応フィルタ３２の応答は、異なるユーザの耳の間で変わることがある。したがって、適応フィルタ３２の応答の比較は、トランスデューサＳＰＫＲＬ及びＳＰＫＲＲの各々をそれぞれ収容する両ヘッドホン１８がリスナーのそれぞれの耳にかけられているかどうか、そのような両ヘッドホン１８の一方若しくは両方がリスナーのそれぞれの耳から外れているかどうか、又は両ヘッドホン１８が２人の異なるリスナーのそれぞれの耳にかけられているかどうかを示し得る。そのような比較に基づいて、両ヘッドホン１８が同一リスナーのそれぞれの耳にかけられているのではないとの判定に応答して、比較ブロック４２は、左チャネル・コーデックＩＣ構成要素２０Ａ及び右チャネル・コーデックＩＣ構成要素２０Ｂによってスピーカ（例えばＳＰＫＲＬ、ＳＰＫＲＲ）に供給される出力信号の少なくとも一方を、それらの出力信号の少なくとも一方が、両ヘッドホン１８が同一リスナーのそれぞれの耳にかけられていたならばそうであったはずであろう信号とは異なるように修正するために、左チャネル・コーデックＩＣ構成要素２０Ａ及び右チャネル・コーデックＩＣ構成要素２０Ｂの一方又は両方に対し、修正信号（例えばＭＯＤＩＦＹＬ、ＭＯＤＩＦＹＲ）を生成することができる。一部の実施例では、そのような修正は、（例えば、出力信号に関連するコーデックＩＣ２０のＤＡＣ２３、増幅器Ａ１、又は他の構成要素への信号の通信によって）出力信号の音量レベルを修正することを含むことができる。これら及び他の実施例では、そのような修正は、各ヘッドホンを、ステレオ・モードから、各ヘッドホンへの出力信号が互いにほぼ等しいモノラル・モードに切り換えることを含むことができる。これら及び他の実施例では、そのような修正は、各ヘッドホンを、ステレオ・モードから、各ヘッドホンへの出力信号が互いにほぼ等しいモノラル・モードに切り換えることを含むことができる。
【００２７】
前述の議論は、ＡＮＣシステムの機能ブロック（例えばフィルタ３２Ａ又は３４Ａ）の応答によって行われる、両ヘッドホン１８が同一リスナーのそれぞれの耳にかけられているか、それとも異なるリスナーの耳にかけられているかの検出を企図したものであるが、そのような検出を行うために、他の任意の適切な手法が使用されてもよい。
【００２８】
図５に示すように、両ヘッドホン１８が同一リスナーのそれぞれの耳にかけられているか、それとも異なるリスナーの耳にかけられているかの判定に応答して、両ヘッドホン１８がリスナーの耳から外されているか、ただ１つのヘッドホン１８だけが１人のリスナーの耳にかけられているか、それとも両ヘッドホン１８が２人の異なるリスナーのそれぞれの耳にかけられているかに応じてコーデックＩＣ２０によって生成される出力信号を修正することができる。図５は、本開示の実施例による、１つ又は複数のオーディオ・トランスデューサへのオーディオ出力信号を修正するための例示的な方法５０を描く流れ図である。上記のように、本開示の教示は、パーソナル・オーディオ機器１０及びコーデックＩＣ２０の様々な構成において実現され得る。そのため、方法５０のための好ましい初期設定点、及び方法５０を構成するステップの順番は、選ばれる実施態様に依存することがある。
【００２９】
ステップ５２で、比較ブロック４２又はコーデックＩＣ２０の別の構成要素は、二次推定適応フィルタ３４Ａの応答ＳＥＬ（ｚ）及びＳＥＲ（ｚ）を解析し、且つ／又は適応フィルタ３２の応答ＷＬ（ｚ）及びＷＲ（ｚ）を解析することができる。ステップ５４で、比較ブロック４２又はコーデックＩＣ２０の別の構成要素は、両ヘッドホン１８が同一リスナーのそれぞれの耳にかけられているのではないということを、応答ＳＥＬ（ｚ）及びＳＥＲ（ｚ）並びに／又は応答ＷＬ（ｚ）及びＷＲ（ｚ）が示しているかどうかを判定することができる。応答ＳＥＬ（ｚ）及びＳＥＲ（ｚ）並びに／又は応答ＷＬ（ｚ）及びＷＲ（ｚ）が、両ヘッドホン１８が同一リスナーのそれぞれの耳にかけられていないということを示す場合、方法５０は、ステップ５８に進むことができ、そうでない場合は、方法５０は、ステップ５６に進むことができる。
【００３０】
ステップ５６で、両ヘッドホン１８が同一リスナーのそれぞれの耳にかけられているということを、応答ＳＥＬ（ｚ）及びＳＥＲ（ｚ）並びに／又は応答ＷＬ（ｚ）及びＷＲ（ｚ）が示しているという判定に応答して、左チャネル・コーデックＩＣ構成要素２０Ａ及び右チャネル・コーデックＩＣ構成要素２０Ｂの各々によって生成されるオーディオ信号が、「通常」動作に従って生成され得る。ステップ５６が完了した後、方法５０は、ステップ５２に再び進むことができる。
【００３１】
ステップ５８で、比較ブロック４２又はコーデックＩＣ２０の別の構成要素は、一方のヘッドホン１８はあるリスナーの耳にかけられているが、他方のヘッドホンは同一リスナー又は他の任意のリスナーの耳にかけられていないということを、応答ＳＥＬ（ｚ）及びＳＥＲ（ｚ）並びに／又は応答ＷＬ（ｚ）及びＷＲ（ｚ）が示しているかどうかを判定することができる。応答ＳＥＬ（ｚ）及びＳＥＲ（ｚ）並びに／又は応答ＷＬ（ｚ）及びＷＲ（ｚ）が、一方のヘッドホン１８はあるリスナーの耳にかけられているが、他方のヘッドホンは同一リスナー又は他の任意のリスナーの耳にかけられていないということを示す場合、方法５０は、ステップ６０に進むことができる。そうでない場合は、方法５０は、ステップ６４に進むことができる。
【００３２】
ステップ６０で、一方のヘッドホン１８はあるリスナーの耳にかけられているが、他方のヘッドホン１８は同一リスナー又は他の任意のリスナーの耳にかけられていないということを、応答ＳＥＬ（ｚ）及びＳＥＲ（ｚ）並びに／又は応答ＷＬ（ｚ）及びＷＲ（ｚ）が示しているという判定に応答して、パーソナル・オーディオ機器１０のコーデックＩＣ２０又は別の構成要素は、スピーカＳＰＫＲＬ及びＳＰＫＲＲへの出力信号を、ステレオ・モードから、出力信号が互いにほぼ等しいモノラル・モードに切り換えることができる。一部の実施例では、モノラル・モードへの切替えは、一方のスピーカＳＰＫＲへの第１の出力信号に関連する第１のソース・オーディオ信号と、他方のスピーカＳＰＫＲへの第２の出力信号に関連する第２のソース・オーディオ信号との平均を計算することと、第１の出力信号及び第２の出力信号の各々をその平均にほぼ等しくなるようにすることとを含むことができる。
【００３３】
ステップ６２で、また、一方のヘッドホン１８はあるリスナーの耳にかけられているが、他方のヘッドホン１８は同一リスナー又は他の任意のリスナーの耳にかけられていないということを応答ＳＥＬ（ｚ）及びＳＥＲ（ｚ）並びに／又は応答ＷＬ（ｚ）及びＷＲ（ｚ）が示しているという判定に応答して、パーソナル・オーディオ機器１０のコーデックＩＣ２０又は別の構成要素は、スピーカＳＰＫＲＬ及びＳＰＫＲＲの一方又は両方のオーディオ音量を上げることができる。ステップ６２が完了した後、方法５０は、ステップ５２に再び進むことができる。
【００３４】
ステップ６４で、比較ブロック４２又はコーデックＩＣ２０の別の構成要素は、両ヘッドホン１８がどのリスナーの耳にもかけられていないということを、応答ＳＥＬ（ｚ）及びＳＥＲ（ｚ）並びに／又は応答ＷＬ（ｚ）及びＷＲ（ｚ）が示しているかどうかを判定することができる。応答ＳＥＬ（ｚ）及びＳＥＲ（ｚ）並びに／又は応答ＷＬ（ｚ）及びＷＲ（ｚ）が、両ヘッドホン１８がどのリスナーの耳にもかけられていないということを示す場合、方法５０は、ステップ６６に進むことができる。そうでない場合には、方法５０は、ステップ７２に進むことができる。
【００３５】
ステップ６６で、両ヘッドホン１８がどのリスナーの耳にもかけられていないということを、応答ＳＥＬ（ｚ）及びＳＥＲ（ｚ）並びに／又は応答ＷＬ（ｚ）及びＷＲ（ｚ）が示しているという判定に応答して、パーソナル・オーディオ機器１０のコーデックＩＣ２０又は別の構成要素は、スピーカＳＰＫＲＬ及びＳＰＫＲＲの一方又は両方のオーディオ音量を上げることができる。
【００３６】
ステップ６８で、また、両ヘッドホン１８がどのリスナーの耳にもかけられていないということを応答ＳＥＬ（ｚ）及びＳＥＲ（ｚ）並びに／又は応答ＷＬ（ｚ）及びＷＲ（ｚ）が示しているという判定に応答して、パーソナル・オーディオ機器１０のコーデックＩＣ２０又は別の構成要素は、パーソナル・オーディオ機器１０を、コーデックＩＣ２０によって消費される電力が、パーソナル・オーディオ機器１０が通常動作条件下で動作しているときの電力消費に比較して著しく低減される低電力オーディオ・モードに入らせることができる。
【００３７】
ステップ７０で、また、両ヘッドホン１８がどのリスナーの耳にもかけられていないということを、応答ＳＥＬ（ｚ）及びＳＥＲ（ｚ）並びに／又は応答ＷＬ（ｚ）及びＷＲ（ｚ）が示しているという判定に応答して、パーソナル・オーディオ機器１０のコーデックＩＣ２０又は別の構成要素は、パーソナル・オーディオ機器１０に、第３のトランスデューサ機器（例えば図１Ａに描かれたスピーカＳＰＫＲ）への出力信号を出力させることができ、そのような出力信号は、第１の出力信号に関連する第１のソース・オーディオ信号及び第２の出力信号に関連する第２のソース・オーディオ信号の少なくとも一方の派生物である。ステップ７０が完了した後、方法５０は、ステップ５２に再び進むことができる。
【００３８】
ステップ７２で、比較ブロック４２又はコーデックＩＣ２０の別の構成要素は、両ヘッドホン１８が異なるリスナーのそれぞれの耳にかけられているということを、応答ＳＥＬ（ｚ）及びＳＥＲ（ｚ）並びに／又は応答ＷＬ（ｚ）及びＷＲ（ｚ）が示しているかどうかを判定することができる。応答ＳＥＬ（ｚ）及びＳＥＲ（ｚ）並びに／又は応答ＷＬ（ｚ）及びＷＲ（ｚ）が、両ヘッドホン１８が異なるリスナーのそれぞれの耳にかけられているということを示す場合、方法５０は、ステップ７４に進むことができる。そうでない場合には、方法５０は、ステップ５２に再び進むことができる。
【００３９】
ステップ７４で、両ヘッドホン１８が異なるリスナーのそれぞれの耳にかけられているということを、応答ＳＥＬ（ｚ）及びＳＥＲ（ｚ）並びに／又は応答ＷＬ（ｚ）及びＷＲ（ｚ）が示しているという判定に応答して、パーソナル・オーディオ機器１０のコーデックＩＣ２０又は別の構成要素は、２つのオーディオ・チャネルの各々について、カスタマイズされた独立処理（例えば、チャネルの等化）を可能にすることができる。ステップ６２が完了した後、方法５０は、ステップ５２に再び進むことができる。
【００４０】
図５は、方法５０に関して取られるべき特定の数のステップを開示するが、方法５０は、図５に描かれたものよりも多い又は少ないステップで実行されてもよい。加えて、図５は、方法５０に関して取られるべきステップの、ある順番を開示するが、方法５０を構成するステップは、任意の適切な順番で完了してもよい。
【００４１】
方法５０は、比較ブロック４２又は方法５０を実施するのに操作可能なその他のシステムを使用して実現されてもよい。ある実施例では、方法５０は、コンピュータ可読媒体において具現化される、ソフトウェア及び／又はファームウェアにおいて部分的に又は完全に実現されてもよい。
【００４２】
ここで図６を参照すると、パーソナル・オーディオ機器１０内部の図２に示したもの以外の選択された回路が描かれている。図６に示すように、パーソナル・オーディオ機器１０は、プロセッサ８０を備えることができる。一部の実施例では、プロセッサ８０は、コーデックＩＣ２０又はその１つ若しくは複数の構成要素と統合されてもよい。動作の際には、プロセッサ８０は、第１のヘッドホン及び第２のヘッドホンの少なくとも一方の地球に対する向きを示す、方位検出信号を両ヘッドホン１８の加速度計ＡＣＣの各々から受信することができる。両ヘッドホン１８が、同一ユーザのそれぞれの耳にかけられていると判定されるとき、方位検出信号によって示される、第１のヘッドホン及び第２のヘッドホンの少なくとも一方の向きの変化に応答して、プロセッサ８０は、パーソナル・オーディオ機器のディスプレイ機器に表示するためのビデオ画像情報を備えるビデオ出力信号を、例えば、ディスプレイ機器に表示されるビデオ画像情報の向きの（例えば横長と縦長との間、又はその逆の）回転によって、修正することができる。したがって、パーソナル・オーディオ機器１０は、加速度計ＡＣＣによって決定されるリスナーの頭の向きに基づいて、ビデオ・データのリスナーの見え方（view）を調節することができる。
【００４３】
本開示は、当業者が理解する本明細書の例示的な実施例に対するすべての変更形態、置換形態、変形形態、代替形態及び修正形態を包含する。同様に、適切な場合は、添付された特許請求の範囲は、当業者が理解する本明細書の例示的な実施例に対するすべての変更形態、置換形態、変形形態、代替形態及び修正形態を包含する。さらに、特定の機能を行うように適合され、配置され、能力を有し、構成され、可能にされ、動作可能であり、又は作用効果がある、添付された特許請求の範囲における装置若しくはシステム又は装置若しくはシステムの構成要素への言及は、その装置、システム、若しくは構成要素、又はその特定の機能が、活性化され、電源投入され、若しくは解除されるか否かにかかわらず、その装置、システム、若しくは構成要素が、そのように適合され、配置され、能力を有し、構成され、可能にされ、動作可能であり又は作用効果がある限り、その装置、システム、若しくは構成要素を包含する。
【００４４】
本明細書に列挙された実例及び条件付き文言はすべて、本発明及び発明者が技術の推進に貢献した概念を読者が理解する手助けとなる教育的な目的が意図されており、そのような具体的に列挙された実例及び条件に限定しないものとして解釈される。本発明の実施例について詳細に記載したが、本開示の趣旨及び範囲から逸脱せずに、本発明に対する様々な変更、置換え、及び代替を行うことができることを理解されたい。
【図１Ａ】
0006538728.tif 000002
【図１Ｂ】
0006538728.tif 000003
【図２】
0006538728.tif 000004
【図３】
0006538728.tif 000005
【図４】
0006538728.tif 000006
【図５】
0006538728.tif 000007
【図６】
0006538728.tif 000008